(57)【要約】【課題】重い荷物であっても載置することができ、棚の着脱、及び棚の高さ調節が容易に行え、座った時や荷物を載置時に棚が邪魔にならず、不使用時にはネスティング収納可能な棚を有する椅子の提供。【解決手段】棚と、該棚が移動しないようにして該棚と当接する棚当接部を有する一対の脚と、一端が該一対の脚に接続され、他端が前記棚にかつ該棚とのなす角が鋭角になるように接続され、前記棚に荷物が載せられた際に、該荷物の荷重を、前記一対の脚に接続された前記一端と、前記一対の脚における前記棚当接部とで受けるようにする一対の棚設置部材とを有する椅子である。【選択図】図３
2014104017.tif 000002
【特許請求の範囲】
【請求項１】
棚と、
該棚が移動しないようにして該棚と当接する棚当接部を有する一対の脚と、
一端が該一対の脚に接続され、他端が前記棚にかつ該棚とのなす角が鋭角になるように接続され、
前記棚に荷物が載せられた際に、該荷物の荷重を、前記一対の脚に接続された前記一端と、前記一対の脚における前記棚当接部とで受けるようにする一対の棚設置部材と、
を有することを特徴とする椅子。
【請求項２】
一対の脚が、一対の前脚及び一対の後脚のいずれかである請求項１に記載の椅子。
【請求項３】
一対の棚設置部材と棚とのなす角が、３０°〜７０°である請求項１から２のいずれかである椅子。
【請求項４】
棚当接部が、脚に設けられた屈曲部である請求項１から３のいずれかに記載の椅子。
【請求項５】
棚当接部が、脚に設けられた棚受部材である請求項１から４のいずれかに記載の椅子。
【請求項６】
一対の前脚及び一対の後脚の一方が他方よりも間隔が狭く、かつ一対の棚設置部材が間隔の狭い方に設けられた請求項２から５のいずれかに記載の椅子。
【発明の詳細な説明】
【技術分野】
【０００１】
本発明は、棚を有する椅子に関する。
【背景技術】
【０００２】
従来より、椅子の座部の下方に、椅子に座った人の小物、鞄、上着等の荷物を載置できる棚を有する椅子について種々の提案がなされている。例えば、図１及び図２に示すように、棚１の背側両側部から上端に鉤形フック６を有する一対の吊腕２を垂設し、該鉤形フックを椅子の後脚９間に差し渡された横杆に掛け止めるようにした棚付き椅子が提案されている（特許文献１参照）。なお、図１中８は一対の前脚、５は棚の外枠である。
しかし、この提案の椅子は、棚１に荷物を載せると一対の吊腕２に荷重が集中してかかるため、重い荷物を載せると吊腕２が変形や脱離してしまうおそれがある。また、吊腕２が棚に垂設されているので棚の高さを任意に調節することが困難である。更に、不使用時に、椅子を垂直方向に重ねると、棚が邪魔になってスタッキング収納できず、また、椅子の構造上、水平方向に重ねてネスティング収納できないという問題がある。
【０００３】
したがって、重い荷物であっても載置することができ、棚の着脱、及び棚の高さ調節が容易に行え、座った時や荷物を載置時に棚が邪魔にならず、不使用時にはネスティング収納可能な棚を有する椅子の提供が望まれている。
【先行技術文献】
【特許文献】
【０００４】
【特許文献１】実開昭５７−９９４６０号公報
【発明の概要】
【発明が解決しようとする課題】
【０００５】
本発明は、従来における前記問題を解決し、以下の目的を達成することを課題とする。
即ち、本発明は、重い荷物であっても載置することができ、棚の着脱、及び棚の高さ調節が容易に行え、座った時や荷物を載置時に棚が邪魔にならず、不使用時にはネスティング収納可能な棚を有する椅子を提供することを目的とする。
【課題を解決するための手段】
【０００６】
前記課題を解決するための手段としては、以下の通りである。即ち、
＜１＞  棚と、
該棚が移動しないようにして該棚と当接する棚当接部を有する一対の脚と、
一端が該一対の脚に接続され、他端が前記棚にかつ該棚とのなす角が鋭角になるように接続され、
前記棚に荷物が載せられた際に、該荷物の荷重を、前記一対の脚に接続された前記一端と、前記一対の脚における前記棚当接部とで受けるようにする一対の棚設置部材と、
を有することを特徴とする椅子である。
前記＜１＞に記載の椅子においては、前記棚と、前記一対の脚と、前記一対の棚設置部材とを有しており、前記一対の棚設置部材は、一端が該一対の脚に接続され、他端が前記棚にかつ該棚とのなす角が鋭角になるように接続され、前記棚に荷物が載せられた際に、該荷物の荷重を、前記一対の脚に接続された前記一端と、前記一対の脚における前記棚当接部とで受けるように構成されているので、前記棚に荷物を載せた際に、荷重点が分散でき、点ではなく面で荷重を受けることができるので、重い荷物であっても確実に載置することができる。また、従来に比べて、棚の着脱、及び棚の高さ調節が容易に行え、座った時や荷物を載置時に棚が邪魔にならず、利便性が向上する。
＜２＞  一対の脚が、一対の前脚及び一対の後脚のいずれかである前記＜１＞に記載の椅子である。
前記＜２＞に記載の椅子においては、前記一対の脚として一対の前脚及び一対の後脚のいずれかに、棚を容易かつ確実に取り付けることができる。
＜３＞  一対の棚設置部材と棚とのなす角が、３０°〜７０°である前記＜１＞から＜２＞のいずれかである椅子である。
前記＜３＞に記載の椅子においては、一対の棚設置部材と棚とのなす角を、３０°〜７０°に設定する。すると、棚に荷物を載せた際に、荷重点が分散でき、点ではなく面で荷重を受ける効果がより適正化され、重い荷物であっても確実に載置することができる。
＜４＞  棚当接部が、脚に設けられた屈曲部である前記＜１＞から＜３＞のいずれかに記載の椅子である。
前記＜４＞に記載の椅子においては、前記棚当接部が、脚に設けられた屈曲部であるため、前記棚に荷物を載せた際に、該荷物の荷重を、前記一対の脚に接続された前記一対の棚設置部材の一端と、前記一対の脚における前記棚当接部とで受けることができるので、棚が移動することを確実に防止できる。
＜５＞  棚当接部が、脚に設けられた棚受部材である前記＜１＞から＜４＞のいずれかに記載の椅子である。
前記＜５＞に記載の椅子においては、前記棚当接部が、脚に設けられた棚受部材であるため、前記棚に荷物を載せた際に、該荷物の荷重を、前記一対の脚に接続された前記一対の棚設置部材の一端と、前記一対の脚における前記棚当接部とで受けることができるので、棚が移動することを確実に防止できる。
＜６＞  一対の前脚及び一対の後脚の一方が他方よりも間隔が狭く、かつ一対の棚設置部材が間隔の狭い方に設けられた前記＜２＞から＜５＞のいずれかに記載の椅子である。
前記＜６＞に記載の椅子においては、前記一対の前脚及び前記一対の後脚の一方が他方よりも間隔が狭く、かつ一対の棚設置部材が間隔の狭い方に設けられている。その結果、前記椅子を不使用時には、棚を避けて間隔の広い方の一対の脚間に間隔の狭い方の脚を挿入して、前後方向に重ねてネスティング収納することができ、場所をとらずに収納することができる。
【発明の効果】
【０００７】
本発明によると、従来における問題を解決することができ、重い荷物であっても載置することができ、棚の着脱、及び棚の高さ調節が容易に行え、座った時や荷物を載置時に棚が邪魔にならず、不使用時にはネスティング収納可能な棚を有する椅子を提供することができる。
【図面の簡単な説明】
【０００８】
【図１】図１は、従来の椅子の一例を示す概略斜視図である。
【図２】図２は、図１の棚の拡大図である。
【図３】図３は、本発明の実施例１の椅子の一例を示す斜視図である。
【図４Ａ】図４Ａは、実施例１の椅子の一例を示す側面図である。
【図４Ｂ】図４Ｂは、図４Ａの棚及び後脚の部分拡大図である。
【図５】図５は、図４Ａの棚の拡大図である。
【図６】図６は、棚の変形例を示す斜視図である。
【図７】図７は、棚の変形例を示す斜視図である。
【図８】図８は、椅子をネスティング収納時の状態を示す側面図である。
【図９】図９は、本発明の実施例２の椅子の一例を示す斜視図である。
【図１０】図１０は、図９の棚の拡大図である。
【図１１】図１１は、実施例２の椅子における棚の取り付け方法を示す部分拡大図である。
【図１２】図１２は、本発明の実施例３の椅子の一例を示す斜視図である。
【発明を実施するための形態】
【０００９】
（椅子）
本発明の椅子は、棚と、一対の脚と、一対の棚設置部材とを有し、背凭れ及び座部を有することが好ましく、更に必要に応じてその他の部材を有してなる。
【００１０】
＜棚＞
前記棚は、前記椅子の座部の下方に配され、椅子に座った人の小物、鞄、上着等の荷物を載置する部材である。
前記棚としては、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、合板、単板、集成材等の木材、などが挙げられる。
前記棚の大きさについては、特に制限はなく、目的に応じて適宜選択することができるが、通常用いられる程度の大きさが好ましい。
【００１１】
前記棚の形状及び構造としては、特に制限はなく、通常用いられる形状及び構造から適宜選択することができ、例えば、金属製の棒状体（線状体）を適宜折り曲げて格子状に組み付けてなる棚網、棚板、籠状、箱状、などが挙げられる。これらの中でも、棚網が特に好ましい。
前記棚網は、多数本の棒状体を横幅方向に一定間隔を開けて並設し、棒状体からなる外枠に対して溶接などにより固着したものである。また、前記棚網の外枠における左右の枠間には補強棒が複数本差し渡されており、該補強棒が溶接により外枠に固着されていることが、棚網の強度を向上させる点から好ましい。
前記棚は、特に制限はなく、目的に応じて適宜選択することができるが、突出部を有することが好ましい。前記突出部は、棚設置部材が接続された一対の脚の棚当接部に当接し、前記棚の幅方向両端部から側方に突出した部材である。
【００１２】
前記棚と床面（接地面）から引いた仮想垂線とのなす角度は、特に制限はなく、目的に応じて適宜選択することができるが、８０°〜１００°が好ましく、ネスティング収納可能な点から、９５°〜１００°又は、８０°〜８５°がより好ましい。前記角度が、８０°未満であると、棚に荷物を置くことが困難となり、棚の安定性、強度が不十分となることがあり、１００°を超えると、棚に載置した荷物が不安定となり、棚から荷物が落下してしまうことがある。棚と床面（接地面）から引いた仮想垂線とのなす角が、水平（９０°）であると、椅子を単体で使用時には何ら支障はないが、不使用時にネスティング収納する際に棚が邪魔になってしまうことがある。
【００１３】
＜一対の棚設置部材＞
前記一対の棚設置部材は、一端が一対の脚に接続され、他端が前記棚とのなす角が鋭角になるように接続する部材である。
前記一対の棚設置部材は、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、強度の点から、金属が好ましい。
前記一対の棚設置部材の形状、大きさについては、特に制限はなく、目的に応じて適宜選択することができるが、通常用いられる程度の形状及び大きさが好ましい。
前記一対の棚設置部材の構造としては、例えば、パイプ状、軸状、棒状、などが挙げられる。
【００１４】
前記一対の棚設置部材と前記棚とのなす角は、鋭角であれば特に制限はなく、目的に応じて適宜選択することができるが、３０°〜７０°が好ましく、５０°〜６０°がより好ましい。前記なす角が、３０°未満であると、強度が低下し、梱包サイズが大きくなってしまうことがあり、７０°を超えると、棚の安定性が低下し、破損しやすくなることがある。
前記一対の棚設置部材の一端と前記一対の脚との接続方法としては、特に制限はなく、目的に応じて適宜選択することができ、例えば、一対の棚設置部材の一端の両端部に鉤形フックを設け、該鉤形フックにより一対の脚間を差し渡す横杆に掛け止める方法、一対の棚設置部材の一端の両端部に係止片を設け、該係止片を一対の脚に設けた取付穴に差し込で止める方法、などが挙げられる。
なお、前記一対の棚設置部材の他端と棚との接続は、前記棚とのなす角が鋭角であれば特に制限はなく、目的に応じて適宜選択することができ、例えば、溶接、ネジ止め、接着剤による接着、ヒンジ部を用いた可動接続、などが挙げられる。
【００１５】
前記一対の棚設置部材は、前記棚に荷物が載せられた際に、該荷物の荷重を、前記一対の脚に接続された前記一端と、前記一対の脚における前記棚当接部とで受けることができる。これにより、前記棚に荷物が載せられた際に、荷重点が分散でき、点ではなく面で荷重を受けることができるので、重い荷物であっても確実に載置することができる。
【００１６】
＜一対の脚＞
前記一対の脚としては、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、強度の点から、金属が好ましい。
前記一対の脚の形状、大きさ等についても、特に制限はなく、目的に応じて適宜選択することができ、通常用いられる程度の形状及び大きさが好ましい。
前記一対の脚の構造としては、例えば、パイプ状、軸状、棒状、などが挙げられる。
前記一対の脚としては、特に制限はなく、目的に応じて適宜選択することができるが、一対の前脚及び一対の後脚のいずれかであることが好ましい。
前記一対の脚の床面（接地面）と接触する端部には、特に制限はなく、目的に応じて適宜選択することができるが、椅子の運搬性及び利便性の点から、キャスターを有することが好ましい。
【００１７】
前記一対の脚の棚と当接する位置には、特に制限はなく、目的に応じて適宜選択することができるが、棚当接部を有することが好ましい。前記棚当接部は、前記棚が移動しないようにして該棚と当接できるものであれば特に制限はなく、目的に応じて適宜選択することができ、例えば、屈曲部、棚受部材、などが挙げられる。
前記屈曲部としては、前記一対の脚に設けられ、所定の角度で屈曲していることが、棚が移動するのを防止でき、棚と当接した際の安定性、保持性の点から好ましい。
前記棚受部材としては、前記一対の脚に設けられ、前記棚と当接した際に滑り止め効果を有するものが好ましく、例えば、樹脂製のキャップ、カバー、などが挙げられる。
なお、前記一対の脚に設けられた棚受部材の代わりに、前記棚の前記棚当接部と当接する部位（棚の当接部、棚設置部材の鉤形フック）に、前記樹脂製のキャップ、カバーを設けることもできる。
【００１８】
＜座部＞
前記座部としては、椅子に座った人の臀部が接する部材であり、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記座部の形状、大きさ等については、特に制限はなく、目的に応じて適宜選択することができるが、通常用いられる程度の形状及び大きさが好ましい。
【００１９】
前記座部は、座った人の臀部が接する座面部と、該座面部を回動可能に支持する座支持部とを有することが好ましい。これにより、不使用時には、座部を起立させて複数の椅子を前後方向に重ねてネスティング収納可能であるため、場所をとらずにスムーズに収納することができる。
前記座支持部は、特に制限はなく、目的に応じて適宜選択することができるが、前記前脚と同様に、金属パイプ等から製造されることが好ましい。
【００２０】
＜背凭れ＞
前記背凭れは、椅子に座った人の背中が接する部材であり、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記背凭れの形状、大きさについては、特に制限はなく、目的に応じて適宜選択することができるが、通常用いられる程度の形状及び大きさが好ましい。
前記背凭れの構造としては、単層構造又は２層構造であることが好ましい。
前記背凭れには、特に制限はなく、目的に応じて適宜選択することができ、例えば、外皮（カバー）、クッション材、などを設けることができる。
【００２１】
＜その他の部材＞
前記その他の部材としては、特に制限はなく、目的に応じて適宜選択することができ、例えば、肘掛け部、メモ台、ランバーサポート、などが挙げられる。
【００２２】
本発明の椅子は、重い荷物であっても載置することができ、棚の着脱、及び棚の高さ調節が容易で、座った時や荷物を載置時に棚が邪魔にならず、不使用時にはネスティング収納可能であるので、例えば、事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いられる。
【実施例】
【００２３】
以下、本発明の実施例につき図面を用いて具体的に説明するが、本発明はこの実施例に何ら限定されるものではない。
【００２４】
（実施例１）
本発明の椅子の実施例１について説明する。図３は、実施例１の椅子の斜視図、図４Ａは、実施例１の椅子の側面図、図４Ｂは、図４Ａの棚及び後脚の部分拡大図、図５は、棚の拡大斜視図をそれぞれ示す。
図３〜図５に示すように、椅子２１は、一対の前脚２２及び背凭れ２３を有する前脚部２４と、座部２５と、一対の後脚２６と、座部２５の下方に棚２７とを有している。
この実施例１の椅子は、一対の脚が、一対の後脚２６であり、該一対の後脚に一対の棚設置部材７１が接続されている。
【００２５】
前記一対の前脚２２は、金属パイプ等の公知の材料を所定形状に加工して製造されている。
前記一対の前脚２２には、床面（接地面）１０１と接触する端部に、椅子の運搬性、利便性の点から、キャスター２８が設けられている。
前記一対の前脚２２の側枠部の上端部には、椅子に座った人の背中が接する背凭れ２３が設けられている。背凭れ２３は、略矩形状をなし、互いに略平行に配置する棒状の側枠部の間を差し渡すように、固定されている。
背凭れ２３は、プラスチック等の公知の材料を所定形状に加工して製造されている。
【００２６】
前脚部２４内には、椅子に座った人の臀部が接する座部２５が回動可能に軸支されている。座部２５は、図４Ａに示すように、座面部５１と、該座面部５１を支持する座支持部５２とを有する。座面部５１は、略正方形であり、プラスチック等の公知の材料からなる。
座支持部５２は、前記前脚２２と同様に、金属パイプ等の公知の材料から製造されている。
座面部５１は、該座支持部５２に、螺子等の固定手段によって固定されている。
座支持部５２の右側枠部は、前記前脚部２４の右側枠部に軸支され、左側枠部は、前記前脚部２４の左側枠部に軸支されている。
【００２７】
前記一対の後脚２６は、前記前脚２２と同様に、金属パイプ等の公知の材料を所定形状に加工して製造されている。
前記一対の後脚２６は、床面（接地面）１０１と接触する端部には、椅子の運搬性、利便性の点から、キャスター２８が設けられている。後脚２６は、連結部２９により前脚２２に固定されている。
前記一対の後脚２６には、棚と当接する棚当接部として、屈曲部３１が設けられている。この屈曲部３１によって、該屈曲部に当接した棚が移動するのを防止することができる。
【００２８】
図３及び図４Ａに示すように、一対の棚設置部材７１の一端と一対の後脚２６とは、一対の棚設置部材７１の一端の両端部に設けられた鉤形フック７３により、一対の後脚間を差し渡す横杆３２に掛け止めることにより接続されている。
図４Ｂに示すように、一対の棚設置部材７１の一端が一対の後脚２６に接続され、他端が前記棚にかつ該棚とのなす角θ１が鋭角になるように接続されている。この実施例１では、棚設置部材７１と棚２７とのなす角θ１は、５５°である。また、図４Ｂに示すように、棚２７と床面（接地面）１０１から引いた仮想垂線Ｈとのなす角度θ２は、９５°である。このように、一対の棚設置部材により、棚を接続することにより、棚に荷物を安定かつ確実に載置することができる。
【００２９】
棚２７としては、図５に示すように、多数本の金属製の棒状体が横幅方向に一定間隔を開けて並設され、棒状体からなる外枠に対して溶接により固着された棚網が用いられている。なお、前記棚網は、全体が平坦な形状である必要はなく、前方に向かって傾斜させてもよく、周縁部を湾曲させても構わない。
また、図５に示すように、棚２７としての棚網の外枠における左右の枠間には金属製の補強棒３３が差し渡されて溶接により固着されている。なお、実施例１では、補強棒３３は棚設置部材７１と一体に形成されているが、別体であってもよく、補強棒を複数本設けることもできる。
図３及び図５に示すように、棚２７は、棚設置部材７１が接続された後脚２６の棚当接部３１に当接し、前記棚の幅方向両端部から側方に突出した突出部７２を有している。
棚の突出部７２には、図６及び図７に示すように、棚が移動するのを防止するため、樹脂製の滑り止め部材７２ａを設けることが好ましい。
棚設置部材７１の先端の鉤形フック７３には、図６及び図７に示すように、棚が移動するのを防止するため、樹脂製の滑り止め部材７３ａを設けることが好ましい。
【００３０】
前記実施例１の椅子は、不使用時には、座部を起立させた複数の椅子を、幅の広い前脚間に後脚を挿入して前後方向に重ねてネスティング収納可能である。
例えば、図８に示すように、３つの椅子２１について、一対の後脚２６の方が一対の前脚２２よりも間隔が狭く形成され、一対の棚設置部材７１が間隔の狭い後脚２６の方に接続されているので、棚２７を避けて幅の広い前脚間に後脚２６を挿入することができ、座部２５を起立させて前後方向に重ねてネスティング収納可能であり、収納スペースを少なくすることができる。
【００３１】
前記実施例１の椅子の使用方法としては、特に制限はなく、目的に応じて適宜選択することができるが、椅子の座部の下方に棚を有しており、該棚が重い荷物であっても載置することができるので、椅子に座った人の小物だけではなく、鞄、上着等の重量のある荷物であっても載置することができる。このため、大量の椅子を使用するオフィスや集会所等での使用に適している。また、椅子を使用しないときには、座部を起立させた複数の椅子を前後方向に重ねて収納できるので、収納スペースを大幅に少なくできる。
【００３２】
（実施例２）
本発明の椅子の実施例２について説明する。図９は、実施例２の椅子の斜視図、図１０は、図９の棚の拡大図、図１１は、棚の取り付け状態を示す拡大斜視図をそれぞれ示す。
この実施例２の椅子は、前記一対の脚が、一対の後脚であり、該一対の後脚に一対の棚設置部材７１が接続されている例である。
この実施例２においては、棚の取り付け方法以外は、実施例１と同様であるため、共通する部材についての説明を省略する。
この実施例２では、図１１に示すように、棚２７は、一対の棚設置部材７１の両端部の係止片７４を一対の後脚２６の取付穴７５に差し込むことにより取り付けられている。これにより、実施例１のように後脚２６間を差し渡す横杆３２を設けることなく、棚を着脱可能に容易に取り付けることができる。
この実施例２では、棚設置部材７１と棚２７とのなす角θ１は、５８°である。また、棚２７と床面（接地面）から引いた仮想垂線とのなす角度θ２は、９５°である。
前記実施例２の椅子は、実施例１と同様に、不使用時には、座部を起立させた複数の椅子を、幅の広い前脚間に後脚を挿入して前後方向に重ねてネスティング収納可能である。
【００３３】
（実施例３）
本発明の椅子の実施例３について説明する。図１２は、実施例３の椅子において棚を取り付けた状態を示す拡大斜視図である。
この実施例３の椅子は、前記一対の脚が、一対の前脚であり、該一対の前脚に一対の棚設置部材７１が接続されている例である。
この実施例３では、棚を一対の前脚に取り付けた以外は、実施例２と同様であるため、共通する部材についての説明を省略する。なお、実施例３において、棚の取り付け方法として、実施例２ではなく、実施例１と同じ方法を採用することもできる。
この実施例３では、図１２に示すように、一対の棚設置部材の端部の係止片７４を一対の前脚２２の取付穴に差し込むことにより取り付けられている。これにより、実施例１のように後脚２６間を差し渡す横杆３２を設けることなく、棚を着脱可能に容易に取り付けることができる。
この実施例３では、棚設置部材７１と棚２７とのなす角θ１は、５４°である。また、棚２７と床面（接地面）から引いた仮想垂線とのなす角度θ２は、９４°である。
【００３４】
前記実施例３の椅子は、不使用時には、座部を起立させた複数の椅子を、幅の広い後脚間に前脚を挿入して前後方向に重ねてネスティング収納可能である。
例えば、図示を省略しているが、図８と同様にして、３つの椅子２１について、一対の前脚２２の方が一対の後脚２６よりも間隔が狭く形成され、一対の棚設置部材７１が間隔の狭い前脚２２の方に接続されているので、棚２７を避けて幅の広い後脚間に前脚２６を挿入することができ、座部２５を起立させて前後方向に重ねてネスティング収納可能であり、収納スペースを少なくすることができる。
【００３５】
以上、本発明の椅子について詳細に説明したが、本発明は上記実施例に限定されず、本発明の要旨を逸脱しない範囲で種々変更しても差支えない。
【産業上の利用可能性】
【００３６】
本発明の椅子は、重い荷物であっても載置することができ、棚の着脱、及び棚の高さ調節が容易に行え、座った時や荷物を載置時に棚が邪魔にならず、不使用時にはネスティング収納可能であるため、例えば、事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いることができる。
【符号の説明】
【００３７】
２１      椅子
２２      前脚
２３      背凭れ
２４      前脚部
２５      座部
２６      後脚
２７      棚
２８      キャスター
２９      連結部
３１      棚当接部
３２      横杆
３３      補強棒
５１      座面部
５２      座支持部
７１      棚設置部材
７２      突出部
７２ａ      突出部の滑り止め部材
７３      鉤形フック
７３ａ      鉤形フックの滑り止め部材
７４      係止片
７５      取付穴
１０２      床面（接地面）
Ｈ      仮想垂線
【図１】
2014104017.tif 000003
【図２】
2014104017.tif 000004
【図３】
2014104017.tif 000005
【図４Ａ】
2014104017.tif 000006
【図４Ｂ】
2014104017.tif 000007
【図５】
2014104017.tif 000008
【図６】
2014104017.tif 000009
【図７】
2014104017.tif 000010
【図８】
2014104017.tif 000011
【図９】
2014104017.tif 000012
【図１０】
2014104017.tif 000013
【図１１】
2014104017.tif 000014
【図１２】
2014104017.tif 000015